(57)【要約】【課題】地球温暖化係数が小さいトリフルオロエチレンを含む熱サイクル用作動媒体を用いた熱サイクルシステムを提供する。【解決手段】トリフルオロエチレンを含む熱サイクル用作動媒体を、圧縮機１１から、凝縮器１２、膨張弁１３および蒸発器１４を経由して圧縮機１１に循環させる循環経路を有する熱サイクルシステムであって、循環経路において温度８５℃以上または圧力がゲージ圧で６．０ＭＰａ以上になるような異常運転時に、循環経路内にトリフルオロエチレン濃度を低減させる希釈ガスを投入する希釈ガス投入手段１７を有する熱サイクルシステム１０。【選択図】図１
2015215123.tif 000002
【特許請求の範囲】
【請求項１】
トリフルオロエチレンを含む熱サイクル用作動媒体を、圧縮機から、凝縮器、膨張弁および蒸発器を経由して前記圧縮機に循環させる循環経路を有する熱サイクルシステムであって、
前記循環経路において、温度８５℃以上または圧力がゲージ圧で６．０ＭＰａ以上になったときに、前記循環経路内にトリフルオロエチレン濃度を低減させる希釈ガスを投入する希釈ガス投入手段を有することを特徴とする熱サイクルシステム。
【請求項２】
前記希釈ガス投入手段が、前記圧縮機の循環経路内に前記希釈ガスを投入する請求項１に記載の熱サイクルシステム。
【請求項３】
前記熱サイクル用作動媒体が、前記トリフルオロエチレンを５０質量％超含む請求項１または２に記載の熱サイクルシステム。
【請求項４】
前記熱サイクル用作動媒体が、前記トリフルオロエチレンを６０質量％超含む請求項３に記載の熱サイクルシステム。
【請求項５】
前記希釈ガスの投入により、前記熱サイクル用作動媒体中の前記トリフルオロエチレン濃度を５０質量％以下にする請求項３または４に記載の熱サイクルシステム。
【請求項６】
前記希釈ガスの投入により、前記熱サイクル用作動媒体中の前記トリフルオロエチレン濃度を４０質量％以下にする請求項５に記載の熱サイクルシステム。
【請求項７】
前記熱サイクル用作動媒体が、トリフルオロエチレンとジフルオロメタンの混合媒体である請求項１〜６のいずれか１項に記載の熱サイクルシステム。
【請求項８】
前記希釈ガスが、窒素または二酸化炭素の少なくとも一方を含むガスである請求項１〜７のいずれか１項に記載の熱サイクルシステム。
【請求項９】
冷凍・冷蔵機器、空調機器、発電システム、熱輸送装置または二次冷却機である請求項１〜８のいずれか１項に記載の熱サイクルシステム。
【請求項１０】
ルームエアコン、店舗用パッケージエアコン、ビル用パッケージエアコン、設備用パッケージエアコン、ガスエンジンヒートポンプ、列車用空調装置、自動車用空調装置、内蔵型ショーケース、別置型ショーケース、業務用冷凍・冷蔵庫、製氷機または自動販売機である請求項１〜８のいずれか１項に記載の熱サイクルシステム。
【発明の詳細な説明】
【技術分野】
【０００１】
本発明は、トリフルオロエチレンを含む作動媒体を使用した熱サイクルシステムに係り、特に、システム内部が高温または高圧下となった場合のトリフルオロエチレンの自己分解反応を抑えた熱サイクルシステムに関する。
【背景技術】
【０００２】
従来、冷凍機用冷媒、空調機器用冷媒、発電システム（廃熱回収発電等）用作動媒体、潜熱輸送装置（ヒートパイプ等）用作動媒体、二次冷却媒体等の熱サイクル用の作動媒体としては、クロロトリフルオロメタン、ジクロロジフルオロメタン等のクロロフルオロカーボン（ＣＦＣ）、クロロジフルオロメタン等のヒドロクロロフルオロカーボン（ＨＣＦＣ）が用いられてきた。しかし、ＣＦＣおよびＨＣＦＣは、成層圏のオゾン層への影響が指摘され、現在、規制の対象となっている。
【０００３】
このような経緯から、熱サイクル用作動媒体としては、ＣＦＣやＨＣＦＣに代えて、オゾン層への影響が少ない、ジフルオロメタン（ＨＦＣ−３２）、テトラフルオロエタン、ペンタフルオロエタン（ＨＦＣ−１２５）等のヒドロフルオロカーボン（ＨＦＣ）が用いられるようになった。例えば、Ｒ４１０Ａ（ＨＦＣ−３２とＨＦＣ−１２５の質量比１：１の擬似共沸混合冷媒）等は従来から広く使用されてきた冷媒である。しかし、ＨＦＣは、地球温暖化の原因となる可能性が指摘されている。
【０００４】
Ｒ４１０Ａは、冷凍能力の高さからいわゆるパッケージエアコンやルームエアコンと言われる通常の空調機器等に広く用いられてきた。しかし、地球温暖化係数（ＧＷＰ）が２０８８と高く、そのため低ＧＷＰ作動媒体の開発が求められている。
【０００５】
そこで最近では、炭素−炭素二重結合を有しその結合が大気中のＯＨラジカルによって分解されやすいことから、オゾン層への影響が少なく、かつ地球温暖化への影響が少ない作動媒体である、ヒドロフルオロオレフィン（ＨＦＯ）、すなわち炭素−炭素二重結合を有するＨＦＣに期待が集まっている。本明細書においては、特に断りのない限り飽和のＨＦＣをＨＦＣといい、ＨＦＯとは区別して用いる。また、ＨＦＣを飽和のヒドロフルオロカーボンのように明記する場合もある。さらに、ＨＦＣやＨＦＯのハロゲン化炭化水素については、化合物名の後の括弧内にその化合物の略称を記すが、本明細書では必要に応じて化合物名に代えてその略称を用いる。
【０００６】
このＨＦＯを用いた作動媒体として、例えば、特許文献１には上記特性を有するとともに、優れたサイクル性能が得られるトリフルオロエチレン（ＨＦＯ−１１２３）を用いた作動媒体に係る技術が開示されている。特許文献１においては、さらに、該作動媒体の不燃性、サイクル性能等を高める目的で、ＨＦＯ−１１２３に、各種ＨＦＣを組み合わせて作動媒体とする試みもされている。
【０００７】
また、このＨＦＯ−１１２３は、単独で用いた場合に高温または高圧下で着火源があると、自己分解することが知られている。そこで、非特許文献１には、ＨＦＯ−１１２３を、他の成分、例えばフッ化ビニリデン等と混合し、ＨＦＯ−１１２３の含有量を抑えた混合物とすることで自己分解反応を抑える試みが報告されている。
【先行技術文献】
【特許文献】
【０００８】
【特許文献１】国際公開第２０１２／１５７７６４号
【非特許文献】
【０００９】
【非特許文献１】Combusion, Explosion, and Shock Waves, Vol. 42, No 2, pp. 140-143, 2006
【発明の概要】
【発明が解決しようとする課題】
【００１０】
上記のように、ＨＦＯ−１１２３の作動媒体としての使用が検討されているが、このＨＦＯ−１１２３は、単独または高濃度で存在する場合には、高温または高圧下で着火源があると、自己分解することが知られている。したがって、熱サイクルシステムにおいて、異常運転等によりＨＦＯ−１１２３が高温または高圧下に晒されると自己分解反応が生じることもある。
【００１１】
そこで、本発明は、地球温暖化への影響が少なく、かつ、サイクル性能（能力）が良好なトリフルオロエチレンを作動媒体として用いた熱サイクルシステムであって、異常運転のようなトラブルが生じた場合においても、ＨＦＯ−１１２３の自己分解反応を回避できる熱サイクルシステムの提供を目的とする。
【課題を解決するための手段】
【００１２】
本発明者らは、上記課題を解決すべく鋭意検討したところ、熱サイクルシステムが所定の異常運転状態となっていることを検知した際に、システム内部のＨＦＯ−１１２３濃度を効果的に低減させ、ＨＦＯ−１１２３の自己分解反応を回避できる構成を見出し、本発明を完成した。
【００１３】
すなわち、本発明は、以下の［１］〜［１０］に記載の構成を有する熱サイクルシステムを提供する。
【００１４】
［１］トリフルオロエチレンを含む熱サイクル用作動媒体を、圧縮機から、凝縮器、膨張弁および蒸発器を経由して前記圧縮機に循環させる循環経路を有する熱サイクルシステムであって、前記循環経路において、温度８５℃以上または圧力がゲージ圧で６．０ＭＰａ以上になったときに、前記循環経路内にトリフルオロエチレン濃度を低減させる希釈ガスを投入する希釈ガス投入手段を有することを特徴とする熱サイクルシステム。
［２］前記希釈ガス投入手段が、前記圧縮機の循環経路内に前記希釈ガスを投入する［１］に記載の熱サイクルシステム。
［３］前記熱サイクル用作動媒体が、前記トリフルオロエチレンを５０質量％超含む［１］または［２］に記載の熱サイクルシステム。
［４］前記熱サイクル用作動媒体が、前記トリフルオロエチレンを６０質量％超含む［３］に記載の熱サイクルシステム。
［５］前記希釈ガスの投入により、前記熱サイクル用作動媒体中の前記トリフルオロエチレン濃度を５０質量％以下にする［３］または［４］に記載の熱サイクルシステム。
［６］前記希釈ガスの投入により、前記熱サイクル用作動媒体中の前記トリフルオロエチレン濃度を４０質量％以下にする［５］に記載の熱サイクルシステム。
［７］前記熱サイクル用作動媒体が、トリフルオロエチレンとジフルオロメタンの混合媒体である［１］〜［６］のいずれかに記載の熱サイクルシステム。
［８］前記希釈ガスが、窒素または二酸化炭素の少なくとも一方を含むガスである［１］〜［７］のいずれかに記載の熱サイクルシステム。
［９］冷凍・冷蔵機器、空調機器、発電システム、熱輸送装置または二次冷却機である［１］〜［８］のいずれかに記載の熱サイクルシステム。
［１０］ルームエアコン、店舗用パッケージエアコン、ビル用パッケージエアコン、設備用パッケージエアコン、ガスエンジンヒートポンプ、列車用空調装置、自動車用空調装置、内蔵型ショーケース、別置型ショーケース、業務用冷凍・冷蔵庫、製氷機または自動販売機である［１］〜［８］のいずれかに記載の熱サイクルシステム。
【発明の効果】
【００１５】
本発明の熱サイクルシステムによれば、地球温暖化への影響を抑えつつ、実用的な熱サイクル性能を有する作動媒体を使用しつつ、仮にシステム内部が異常な高温または高圧条件になった場合でも、ＨＦＯ−１１２３の自己分解反応を回避できる熱サイクルシステムを提供できる。
【図面の簡単な説明】
【００１６】
【図１】本発明の熱サイクルシステムの一例である冷凍サイクルシステムの概略構成図である。
【図２】図１の冷凍サイクルシステムにおける作動媒体の状態変化を圧力−エンタルピ線図上に記載したサイクル図である。
【図３】希釈ガス投入手段を設けた圧縮機の概略構成を示した図である。
【発明を実施するための形態】
【００１７】
以下、本発明の実施の形態について、図面を参照しながら説明する。
（第１の実施形態）
＜熱サイクル用作動媒体＞
まず、本発明の熱サイクルシステムに使用される熱サイクル用作動媒体（以下、単に作動媒体と称することもある。）について説明する。ここで使用する作動媒体は、ＨＦＯ−１１２３を含む熱サイクル用作動媒体である。また、ここで使用する作動媒体は、作動媒体全量中におけるＨＦＯ−１１２３の含有量が５０質量％を超え１００質量％以下である熱サイクル用の作動媒体であることが好ましい。
【００１８】
本発明で使用される熱サイクル用作動媒体は、上記のようにＨＦＯ−１１２３単独の作動媒体またはＨＦＯ−１１２３とその他の作動媒体とを含有する混合媒体である。ここで、ＨＦＯ−１１２３の地球温暖化係数（１００年）は、ＩＰＣＣ第４次評価報告書に準じて測定された値として、０．３である。本明細書においてＧＷＰは、特に断りのない限りＩＰＣＣ第４次評価報告書の１００年の値である。
【００１９】
このように、本発明の作動媒体としては、ＧＷＰの極めて低いＨＦＯ−１１２３を５０質量％超含有することで、得られる作動媒体のＧＷＰの値も低く抑えたものとできる。その他の成分のＧＷＰが、例えば、後述の飽和ＨＦＣのように、ＨＦＯ−１１２３よりも高い場合には、その含有割合が低いほどＧＷＰが低い組成となる。
【００２０】
この熱サイクル用作動媒体に用いられるＨＦＯ−１１２３は、作動媒体中においてその含有割合が高い場合に、高温または高圧下で着火源が存在すると、急激な温度、圧力上昇を伴う連鎖的な自己分解反応をおこすおそれがある。なお、作動媒体としてＨＦＯ−１１２３の含有量を低くすることで自己分解反応を抑えることができるが、その含有量が低くなりすぎると、混合する他の作動媒体にもよるが、ＧＷＰが上昇し、冷凍能力および成績係数が低下する場合が多い。
【００２１】
ここで、熱サイクル用作動媒体は、本発明の熱サイクルシステムに適用するにあたっては、作動媒体中のＨＦＯ−１１２３の含有割合が５０質量％超とすることが好ましく、６０質量％超とすることがより好ましく、７０質量％超とすることがさらに好ましい。このような含有量とすることで、ＧＷＰが十分に低く、良好な冷凍能力を確保できる。
【００２２】
［任意成分］
本発明に使用される熱サイクル用作動媒体は、本発明の効果を損なわない範囲でＨＦＯ−１１２３以外に、通常作動媒体として用いられる化合物を任意に含有してもよい。
任意成分としては、ＨＦＣ、ＨＦＯ−１１２３以外のＨＦＯ（炭素−炭素二重結合を有するＨＦＣ）が好ましい。
【００２３】
（ＨＦＣ）
任意成分のＨＦＣとしては、例えば、ＨＦＯ−１１２３と組み合わせて熱サイクルに用いた際に、温度勾配を下げる作用、能力を向上させる作用または効率をより高める作用を有するＨＦＣが用いられる。本発明に使用される熱サイクル用作動媒体がこのようなＨＦＣを含むと、より良好なサイクル性能が得られる。
【００２４】
なお、ＨＦＣは、ＨＦＯ−１１２３に比べてＧＷＰが高いことが知られている。したがって、上記作動媒体としてのサイクル性能の向上に加えて、ＧＷＰを許容の範囲にとどめる観点から任意成分として用いるＨＦＣを選択する。
【００２５】
オゾン層への影響が少なく、かつ地球温暖化への影響が小さいＨＦＣとして具体的には炭素数１〜５のＨＦＣが好ましい。ＨＦＣは、直鎖状であっても、分岐状であってもよく、環状であってもよい。
【００２６】
ＨＦＣとしては、ジフルオロメタン（ＨＦＣ−３２）、ジフルオロエタン、トリフルオロエタン、テトラフルオロエタン、ペンタフルオロエタン（ＨＦＣ−１２５）、ペンタフルオロプロパン、ヘキサフルオロプロパン、ヘプタフルオロプロパン、ペンタフルオロブタン、ヘプタフルオロシクロペンタン等が挙げられる。
【００２７】
なかでも、ＨＦＣとしては、オゾン層への影響が少なく、かつ冷凍サイクル特性が優れる点から、ＨＦＣ−３２、１，１−ジフルオロエタン（ＨＦＣ−１５２ａ）、１，１，１−トリフルオロエタン（ＨＦＣ−１４３ａ）、１，１，２，２−テトラフルオロエタン（ＨＦＣ−１３４）、１，１，１，２−テトラフルオロエタン（ＨＦＣ−１３４ａ）、およびＨＦＣ−１２５が好ましく、ＨＦＣ−３２、ＨＦＣ−１３４ａ、およびＨＦＣ−１２５がより好ましい。
ＨＦＣは、１種を単独で用いてもよく、２種以上を組み合わせて用いてもよい。
【００２８】
なお、上記好ましいＨＦＣのＧＷＰは、ＨＦＣ−３２については６７５であり、ＨＦＣ−１３４ａについては１４３０であり、ＨＦＣ−１２５については３５００である。得られる作動媒体のＧＷＰを低く抑える観点から、任意成分のＨＦＣとしては、ＨＦＣ−３２が最も好ましい。
【００２９】
（ＨＦＯ−１１２３以外のＨＦＯ）
任意成分のＨＦＯとしては、２，３，３，３−テトラフルオロ−１−プロペン（ＨＦＯ−１２３４ｙｆ）、トランス−１，２−ジフルオロエチレン（ＨＦＯ−１１３２（Ｅ））、シス−１，２−ジフルオロエチレン（ＨＦＯ−１１３２（Ｚ））、２−フルオロプロペン（ＨＦＯ−１２６１ｙｆ）、１，１，２−トリフルオロプロペン（ＨＦＯ−１２４３ｙｃ）、トランス−１，２，３，３，３−ペンタフルオロプロペン（ＨＦＯ−１２２５ｙｅ（Ｅ））、シス−１，２，３，３，３−ペンタフルオロプロペン（ＨＦＯ−１２２５ｙｅ（Ｚ））、トランス−１，３，３，３−テトラフルオロプロペン（ＨＦＯ−１２３４ｚｅ（Ｅ））、シス−１，３，３，３−テトラフルオロプロペン（ＨＦＯ−１２３４ｚｅ（Ｚ））、３，３，３−トリフルオロプロペン（ＨＦＯ−１２４３ｚｆ）等が挙げられる。
【００３０】
なかでも、任意成分のＨＦＯとしては、高い臨界温度を有し、安全性、成績係数が優れる点から、ＨＦＯ−１２３４ｙｆ、ＨＦＯ−１２３４ｚｅ（Ｅ）、ＨＦＯ−１２３４ｚｅ（Ｚ）が好ましい。
【００３１】
これらのＨＦＯ−１１２３以外のＨＦＯは、１種を単独で用いてもよく、２種以上を組み合わせて用いてもよい。
【００３２】
本発明に使用される熱サイクル用作動媒体が、任意成分のＨＦＣおよび／または、ＨＦＯ−１１２３以外のＨＦＯを含む場合、該作動媒体１００質量％中のＨＦＣおよび、ＨＦＯ−１１２３以外のＨＦＯの合計の含有量は、５０質量％以下であり、０〜４０質量％が好ましく、０〜３０質量％がより好ましい。作動媒体におけるＨＦＣおよびＨＦＯ−１１２３以外のＨＦＯの合計の含有量は、用いるＨＦＣおよびＨＦＯ−１１２３以外のＨＦＯの種類に応じて、上記範囲内で適宜調整される。このとき、ＨＦＯ−１１２３と組み合わせて熱サイクルに用いた際に、温度勾配を下げる、能力を向上させるまたは効率をより高める観点、さらには地球温暖化係数を勘案して、調整する。
【００３３】
（その他の任意成分）
本発明に使用される熱サイクル用作動媒体は、上記任意成分以外に、二酸化炭素、炭化水素、クロロフルオロオレフィン（ＣＦＯ）、ヒドロクロロフルオロオレフィン（ＨＣＦＯ）等をその他の任意成分として含有してもよい。その他の任意成分としては、オゾン層への影響が少なく、かつ地球温暖化への影響が小さい成分が好ましい。
【００３４】
炭化水素としては、プロパン、プロピレン、シクロプロパン、ブタン、イソブタン、ペンタン、イソペンタン等が挙げられる。
炭化水素は、１種を単独で用いてもよく、２種以上を組み合わせて用いてもよい。
【００３５】
本発明に使用される熱サイクル用作動媒体が炭化水素を含有する場合、その含有量は作動媒体の１００質量％に対して１０質量％以下であり、１〜１０質量％が好ましく、１〜７質量％がより好ましく、２〜５質量％がさらに好ましい。炭化水素が下限値以上であれば、作動媒体への鉱物系冷凍機油の溶解性がより良好になる。
【００３６】
ＣＦＯとしては、クロロフルオロプロペン、クロロフルオロエチレン等が挙げられる。本発明において熱サイクル用作動媒体のサイクル性能を大きく低下させることなく作動媒体の燃焼性を抑えやすい点から、ＣＦＯとしては、１，１−ジクロロ−２，３，３，３−テトラフルオロプロペン（ＣＦＯ−１２１４ｙａ）、１，３−ジクロロ−１，２，３，３−テトラフルオロプロペン（ＣＦＯ−１２１４ｙｂ）、１，２−ジクロロ−１，２−ジフルオロエチレン（ＣＦＯ−１１１２）が好ましい。
ＣＦＯは、１種を単独で用いてもよく、２種以上を組み合わせて用いてもよい。
【００３７】
本発明に使用される熱サイクル用作動媒体がＣＦＯを含有する場合、その含有量は該作動媒体の１００質量％に対して５０質量％以下であり、０〜４０質量％が好ましく、０〜３０質量％がより好ましい。ＣＦＯの含有量が下限値を超える値であれば、作動媒体の燃焼性を抑制しやすい。ＣＦＯの含有量が上限値以下であれば、良好なサイクル性能が得られやすい。
【００３８】
ＨＣＦＯとしては、ヒドロクロロフルオロプロペン、ヒドロクロロフルオロエチレン等が挙げられる。本発明に使用される熱サイクル用作動媒体のサイクル性能を大きく低下させることなく作動媒体の燃焼性を抑えやすい点から、ＨＣＦＯとしては、１−クロロ−２，３，３，３−テトラフルオロプロペン（ＨＣＦＯ−１２２４ｙｄ）、１−クロロ−１，２−ジフルオロエチレン（ＨＣＦＯ−１１２２）が好ましい。
ＨＣＦＯは、１種を単独で用いてもよく、２種以上を組み合わせて用いてもよい。
【００３９】
本発明の熱サイクル用作動媒体がＨＣＦＯを含む場合、該作動媒体１００質量％中のＨＣＦＯの含有量は、５０質量％以下であり、０〜４０質量％が好ましく、０〜３０質量％がより好ましい。ＨＣＦＯの含有量が下限値を超える値であれば、作動媒体の燃焼性を抑制しやすい。ＨＣＦＯの含有量が上限値以下であれば、良好なサイクル性能が得られやすい。
【００４０】
本発明に使用される熱サイクル用作動媒体が上記のような任意成分およびその他の任意成分を含有する場合、その合計含有量は、作動媒体１００質量％に対して５０質量％以下が好ましい。
【００４１】
以上説明した本発明に使用される熱サイクル用作動媒体は、地球温暖化への影響が少ないＨＦＯであって、作動媒体としての能力に優れるＨＦＯ−１１２３を含有するものであり、地球温暖化への影響を抑えつつ、実用的なサイクル性能を有するものである。
【００４２】
（熱サイクルシステム用組成物）
上記の熱サイクル用作動媒体は、通常、冷凍機油と混合して本発明の熱サイクルシステムに使用される熱サイクルシステム用組成物とする。この熱サイクルシステム用組成物は、上記熱サイクルシステムの循環経路内に封入して使用される。この熱サイクルシステム用組成物は、これら以外にさらに、安定剤、漏れ検出物質等の公知の添加剤を含有してもよい。
【００４３】
（冷凍機油）
冷凍機油としては、従来からハロゲン化炭化水素からなる作動媒体とともに、熱サイクルシステム用組成物に用いられる公知の冷凍機油が特に制限なく採用できる。冷凍機油として具体的には、含酸素系冷凍機油（エステル系冷凍機油、エーテル系冷凍機油等）、フッ素系冷凍機油、鉱物系冷凍機油、炭化水素系冷凍機油等が挙げられる。
【００４４】
エステル系冷凍機油としては、二塩基酸エステル油、ポリオールエステル油、コンプレックスエステル油、ポリオール炭酸エステル油等が挙げられる。
【００４５】
二塩基酸エステル油としては、炭素数５〜１０の二塩基酸（グルタル酸、アジピン酸、ピメリン酸、スベリン酸、アゼライン酸、セバシン酸等）と、直鎖または分枝アルキル基を有する炭素数１〜１５の一価アルコール（メタノール、エタノール、プロパノール、ブタノール、ペンタノール、ヘキサノール、ヘプタノール、オクタノール、ノナノール、デカノール、ウンデカノール、ドデカノール、トリデカノール、テトラデカノール、ペンタデカノール等）とのエステルが好ましい。この二塩基酸エステル油としては、具体的には、グルタル酸ジトリデシル、アジピン酸ジ（２−エチルヘキシル）、アジピン酸ジイソデシル、アジピン酸ジトリデシル、セバシン酸ジ（３−エチルヘキシル）等が挙げられる。
【００４６】
ポリオールエステル油としては、ジオール（エチレングリコール、１，３−プロパンジオール、プロピレングリコール、１，４−ブタンジオール、１，２−ブタンジオール、１，５−ペンタジオール、ネオペンチルグリコール、１，７−ヘプタンジオール、１，１２−ドデカンジオール等）または水酸基を３〜２０個有するポリオール（トリメチロールエタン、トリメチロールプロパン、トリメチロールブタン、ペンタエリスリトール、グリセリン、ソルビトール、ソルビタン、ソルビトールグリセリン縮合物等）と、炭素数６〜２０の脂肪酸（ヘキサン酸、ヘプタン酸、オクタン酸、ノナン酸、デカン酸、ウンデカン酸、ドデカン酸、エイコサン酸、オレイン酸等の直鎖または分枝の脂肪酸、もしくはα炭素原子が４級であるいわゆるネオ酸等）とのエステルが好ましい。
なお、これらのポリオールエステル油は、遊離の水酸基を有していてもよい。
【００４７】
ポリオールエステル油としては、ヒンダードアルコール（ネオペンチルグリコール、トリメチロールエタン、トリメチロールプロパン、トリメチロールブタン、ペンタエリスルトール等）のエステル（トリメチロールプロパントリペラルゴネート、ペンタエリスリトール２−エチルヘキサノエート、ペンタエリスリトールテトラペラルゴネート等）が好ましい。
【００４８】
コンプレックスエステル油とは、脂肪酸および二塩基酸と、一価アルコールおよびポリオールとのエステルである。脂肪酸、二塩基酸、一価アルコール、ポリオールとしては、上述と同様のものを用いることができる。
【００４９】
ポリオール炭酸エステル油とは、炭酸とポリオールとのエステルである。
ポリオールとしては、上述と同様のジオールや上述と同様のポリオールが挙げられる。また、ポリオール炭酸エステル油としては、環状アルキレンカーボネートの開環重合体であってもよい。
【００５０】
エーテル系冷凍機油としては、ポリビニルエーテル油やポリオキシアルキレン油が挙げられる。
【００５１】
ポリビニルエーテル油としては、アルキルビニルエーテルなどのビニルエーテルモノマーを重合して得られたものや、ビニルエーテルモノマーとオレフィン性二重結合を有する炭化水素モノマーとを共重合して得られた共重合体がある。
【００５２】
ビニルエーテルモノマーは、１種を単独で用いてもよく、２種以上を組み合わせて用いてもよい。
【００５３】
オレフィン性二重結合を有する炭化水素モノマーとしては、エチレン、プロピレン、各種ブテン、各種ペンテン、各種ヘキセン、各種ヘプテン、各種オクテン、ジイソブチレン、トリイソブチレン、スチレン、α−メチルスチレン、各種アルキル置換スチレン等が挙げられる。オレフィン性二重結合を有する炭化水素モノマーは、１種を単独で用いてもよく、２種以上を組み合わせて用いてもよい。
【００５４】
ポリビニルエーテル共重合体は、ブロックまたはランダム共重合体のいずれであってもよい。ポリビニルエーテル油は、１種を単独で用いてもよく、２種以上を組み合わせて用いてもよい。
【００５５】
ポリオキシアルキレン油としては、ポリオキシアルキレンモノオール、ポリオキシアルキレンポリオール、ポリオキシアルキレンモノオールやポリオキシアルキレンポリオールのアルキルエーテル化物、ポリオキシアルキレンモノオールやポリオキシアルキレンポリオールのエステル化物等が挙げられる。
【００５６】
ポリオキシアルキレンモノオールやポリオキシアルキレンポリオールは、水酸化アルカリなどの触媒の存在下、水や水酸基含有化合物などの開始剤に炭素数２〜４のアルキレンオキシド（エチレンオキシド、プロピレンオキシド等）を開環付加重合させる方法等により得られたものが挙げられる。また、ポリアルキレン鎖中のオキシアルキレン単位は、１分子中において同一であってもよく、２種以上のオキシアルキレン単位が含まれていてもよい。１分子中に少なくともオキシプロピレン単位が含まれることが好ましい。
【００５７】
反応に用いる開始剤としては、水、メタノールやブタノール等の１価アルコール、エチレングリコール、プロピレングリコール、ペンタエリスリトール、グリセロール等の多価アルコールが挙げられる。
【００５８】
ポリオキシアルキレン油としては、ポリオキシアルキレンモノオールやポリオキシアルキレンポリオールの、アルキルエーテル化物やエステル化物が好ましい。また、ポリオキシアルキレンポリオールとしては、ポリオキシアルキレングリコールが好ましい。特に、ポリグリコール油と呼ばれる、ポリオキシアルキレングリコールの末端水酸基がメチル基等のアルキル基でキャップされた、ポリオキシアルキレングリコールのアルキルエーテル化物が好ましい。
【００５９】
フッ素系冷凍機油としては、合成油（後述する鉱物油、ポリα−オレフィン、アルキルベンゼン、アルキルナフタレン等）の水素原子をフッ素原子に置換した化合物、ペルフルオロポリエーテル油、フッ素化シリコーン油等が挙げられる。
【００６０】
鉱物系冷凍機油としては、原油を常圧蒸留または減圧蒸留して得られた冷凍機油留分を、精製処理（溶剤脱れき、溶剤抽出、水素化分解、溶剤脱ろう、接触脱ろう、水素化精製、白土処理等）を適宜組み合わせて精製したパラフィン系鉱物油、ナフテン系鉱物油等が挙げられる。
【００６１】
炭化水素系冷凍機油としては、ポリα−オレフィン、アルキルベンゼン、アルキルナフタレン等が挙げられる。
【００６２】
冷凍機油は、１種を単独で用いてもよく、２種以上を組み合わせて用いてもよい。
冷凍機油としては、作動媒体との相溶性の点から、ポリオールエステル油、ポリビニルエーテル油およびポリグリコール油から選ばれる１種以上が好ましい。
【００６３】
冷凍機油の添加量は、本発明の効果を著しく低下させない範囲であればよく、作動媒体１００質量部に対して、１０〜１００質量部が好ましく、２０〜５０質量部がより好ましい。
【００６４】
（安定剤）
安定剤は、熱および酸化に対する作動媒体の安定性を向上させる成分である。安定剤としては、従来からハロゲン化炭化水素からなる作動媒体とともに、熱サイクルシステムに用いられる公知の安定剤、例えば、耐酸化性向上剤、耐熱性向上剤、金属不活性剤等が特に制限なく採用できる。
【００６５】
耐酸化性向上剤および耐熱性向上剤としては、Ｎ，Ｎ’−ジフェニルフェニレンジアミン、ｐ−オクチルジフェニルアミン、ｐ，ｐ’−ジオクチルジフェニルアミン、Ｎ−フェニル−１−ナフチルアミン、Ｎ−フェニル−２−ナフチルアミン、Ｎ−（ｐ−ドデシル）フェニル−２−ナフチルアミン、ジ−１−ナフチルアミン、ジ−２−ナフチルアミン、Ｎ−アルキルフェノチアジン、６−（ｔ−ブチル）フェノール、２，６−ジ−（ｔ−ブチル）フェノール、４−メチル−２，６−ジ−（ｔ−ブチル）フェノール、４，４’−メチレンビス（２，６−ジ−ｔ−ブチルフェノール）等が挙げられる。耐酸化性向上剤および耐熱性向上剤は、１種を単独で用いてもよく、２種以上を組み合わせて用いてもよい。
【００６６】
金属不活性剤としては、イミダゾール、ベンズイミダゾール、２−メルカプトベンズチアゾール、２，５−ジメチルカプトチアジアゾール、サリシリジン−プロピレンジアミン、ピラゾール、ベンゾトリアゾール、トルトリアゾール、２−メチルベンズアミダゾール、３，５−ジメチルピラゾール、メチレンビス−ベンゾトリアゾール、有機酸またはそれらのエステル、第１級、第２級または第３級の脂肪族アミン、有機酸または無機酸のアミン塩、複素環式窒素含有化合物、アルキル酸ホスフェートのアミン塩またはそれらの誘導体等が挙げられる。
【００６７】
安定剤の添加量は、本発明の効果を著しく低下させない範囲であればよく、作動媒体１００質量部に対して、５質量部以下が好ましく、１質量部以下がより好ましい。
【００６８】
（漏れ検出物質）
漏れ検出物質としては、紫外線蛍光染料、臭気ガスや臭いマスキング剤等が挙げられる。
【００６９】
紫外線蛍光染料としては、米国特許第４２４９４１２号明細書、特表平１０−５０２７３７号公報、特表２００７−５１１６４５号公報、特表２００８−５００４３７号公報、特表２００８−５３１８３６号公報に記載されたもの等、従来、ハロゲン化炭化水素からなる作動媒体とともに、熱サイクルシステムに用いられる公知の紫外線蛍光染料が挙げられる。
【００７０】
臭いマスキング剤としては、特表２００８−５００４３７号公報、特表２００８−５３１８３６号公報に記載されたもの等、従来からハロゲン化炭化水素からなる作動媒体とともに、熱サイクルシステムに用いられる公知の香料が挙げられる。
【００７１】
漏れ検出物質を用いる場合には、作動媒体への漏れ検出物質の溶解性を向上させる可溶化剤を用いてもよい。
【００７２】
可溶化剤としては、特表２００７−５１１６４５号公報、特表２００８−５００４３７号公報、特表２００８−５３１８３６号公報に記載されたもの等が挙げられる。
【００７３】
漏れ検出物質の添加量は、本発明の効果を著しく低下させない範囲であればよく、作動媒体１００質量部に対して、２質量部以下が好ましく、０．５質量部以下がより好ましい。
【００７４】
＜熱サイクルシステム＞
次に、上記の熱サイクル用作動媒体を適用する本発明の熱サイクルシステムについて説明する。この熱サイクルシステムは、ＨＦＯ−１１２３を熱サイクル用作動媒体として用いたシステムである。この熱サイクル用作動媒体を熱サイクルシステムに適用するにあたっては、通常、作動媒体を含有する熱サイクルシステム用組成物として適用する。
【００７５】
また、本発明の熱サイクルシステムは、基本的な熱サイクルは従来公知の熱サイクルシステムと同一の構成のものが挙げられ、凝縮器で得られる温熱を利用するヒートポンプシステムであってもよく、蒸発器で得られる冷熱を利用する冷凍サイクルシステムであってもよい。
【００７６】
この熱サイクルシステムとして、具体的には、冷凍・冷蔵機器、空調機器、発電システム、熱輸送装置および二次冷却機等が挙げられる。なかでも、本発明の熱サイクルシステムは、より高温の作動環境でも安定して熱サイクル性能を発揮できるため、屋外等に設置されることが多い空調機器に用いられることが好ましい。また、本発明の熱サイクルシステムは、冷凍・冷蔵機器に用いられることも好ましい。
【００７７】
空調機器として、具体的には、ルームエアコン、パッケージエアコン（店舗用パッケージエアコン、ビル用パッケージエアコン、設備用パッケージエアコン等）、ガスエンジンヒートポンプ、列車用空調装置、自動車用空調装置等が挙げられる。
【００７８】
冷凍・冷蔵機器として、具体的には、ショーケース（内蔵型ショーケース、別置型ショーケース等）、業務用冷凍・冷蔵庫、自動販売機、製氷機等が挙げられる。
【００７９】
発電システムとしては、ランキンサイクルシステムによる発電システムが好ましい。
発電システムとして、具体的には、蒸発器において地熱エネルギー、太陽熱、５０〜２００℃程度の中〜高温度域廃熱等により作動媒体を加熱し、高温高圧状態の蒸気となった作動媒体を膨張機にて断熱膨張させ、該断熱膨張によって発生する仕事によって発電機を駆動させ、発電を行うシステムが例示される。
【００８０】
また、本発明の熱サイクルシステムは、熱輸送装置であってもよい。熱輸送装置としては、潜熱輸送装置が好ましい。
【００８１】
潜熱輸送装置としては、装置内に封入された作動媒体の蒸発、沸騰、凝縮等の現象を利用して潜熱輸送を行うヒートパイプおよび二相密閉型熱サイフォン装置が挙げられる。ヒートパイプは、半導体素子や電子機器の発熱部の冷却装置等、比較的小型の冷却装置に適用される。二相密閉型熱サイフォンは、ウィッグを必要とせず構造が簡単であることから、ガス−ガス型熱交換器、道路の融雪促進および凍結防止等に広く利用される。
【００８２】
以下、本発明の実施形態の熱サイクルシステムの一例として、図１に示した冷凍サイクルシステム１０を参照して説明する。ここで、冷凍サイクルシステムとは、蒸発器で得られる冷熱を利用するシステムである。
【００８３】
図１に示す冷凍サイクルシステム１０は、作動媒体蒸気Ａを圧縮して高温高圧の作動媒体蒸気Ｂとする圧縮機１１と、圧縮機１１から排出された作動媒体蒸気Ｂを冷却し、液化して低温高圧の作動媒体Ｃとする凝縮器１２と、凝縮器１２から排出された作動媒体Ｃを膨張させて低温低圧の作動媒体Ｄとする膨張弁１３と、膨張弁１３から排出された作動媒体Ｄを加熱して高温低圧の作動媒体蒸気Ａとする蒸発器１４と、蒸発器１４に負荷流体Ｅを供給するポンプ１５と、凝縮器１２に流体Ｆを供給するポンプ１６と、を具備して概略構成されるシステムである。すなわち、この冷凍サイクルシステム１０は、公知の熱サイクルシステムと同様に、熱サイクル用作動媒体を、圧縮機１１から、凝縮器１２、膨張弁１３および蒸発器１４を経由して圧縮機１１に循環させて運転されるものである。さらに、この冷凍サイクルシステム１０は、循環経路内に希釈ガスを投入する希釈ガス投入手段１７が設けられている点に特徴を有する。
【００８４】
まず、冷凍サイクルの流れを説明する。冷凍サイクルシステム１０においては、以下の（ｉ）〜（iv）のサイクルが繰り返される。
【００８５】
（ｉ）蒸発器１４から排出された作動媒体蒸気Ａを圧縮機１１にて圧縮して高温高圧の作動媒体蒸気Ｂとする（以下、「ＡＢ過程」という。）。
（ii）圧縮機１１から排出された作動媒体蒸気Ｂを凝縮器１２にて流体Ｆによって冷却し、液化して低温高圧の作動媒体Ｃとする。この際、流体Ｆは加熱されて流体Ｆ’となり、凝縮器１２から排出される（以下、「ＢＣ過程」という。）。
（iii）凝縮器１２から排出された作動媒体Ｃを膨張弁１３にて膨張させて低温低圧の作動媒体Ｄとする（以下、「ＣＤ過程」という。）。
（iv）膨張弁１３から排出された作動媒体Ｄを蒸発器１４にて負荷流体Ｅによって加熱して高温低圧の作動媒体蒸気Ａとする。この際、負荷流体Ｅは冷却されて負荷流体Ｅ’となり、蒸発器１４から排出される（以下、「ＤＡ過程」という。）。
【００８６】
冷凍サイクルシステム１０は、断熱・等エントロピ変化、等エンタルピ変化および等圧変化からなるサイクルシステムである。作動媒体の状態変化を、図２に示される圧力−エンタルピ線（曲線）図上に記載すると、Ａ、Ｂ、Ｃ、Ｄを頂点とする台形として表すことができる。
【００８７】
ＡＢ過程は、圧縮機１１で断熱圧縮を行い、高温低圧の作動媒体蒸気Ａを高温高圧の作動媒体蒸気Ｂとする過程であり、図２においてＡＢ線で示される。
【００８８】
ＢＣ過程は、凝縮器１２で等圧冷却を行い、高温高圧の作動媒体蒸気Ｂを低温高圧の作動媒体Ｃとする過程であり、図２においてＢＣ線で示される。この際の圧力が凝縮圧である。圧力−エンタルピ線とＢＣ線の交点のうち高エンタルピ側の交点Ｔ１が凝縮温度であり、低エンタルピ側の交点Ｔ２が凝縮沸点温度である。ここで、ＨＦＯ−１１２３と他の作動媒体との混合媒体で非共沸混合媒体の場合、その温度勾配はＴ１とＴ２の差として示される。
【００８９】
ＣＤ過程は、膨張弁１３で等エンタルピ膨張を行い、低温高圧の作動媒体Ｃを低温低圧の作動媒体Ｄとする過程であり、図２においてＣＤ線で示される。なお、低温高圧の作動媒体Ｃにおける温度をＴ３で示せば、Ｔ２−Ｔ３が（ｉ）〜（iv）のサイクルにおける作動媒体の過冷却度（以下、必要に応じて「ＳＣ」で示す。）となる。
【００９０】
ＤＡ過程は、蒸発器１４で等圧加熱を行い、低温低圧の作動媒体Ｄを高温低圧の作動媒体蒸気Ａに戻す過程であり、図２においてＤＡ線で示される。この際の圧力が蒸発圧である。圧力−エンタルピ線とＤＡ線の交点のうち高エンタルピ側の交点Ｔ６は蒸発温度である。作動媒体蒸気Ａの温度をＴ７で示せば、Ｔ７−Ｔ６が（ｉ）〜（iv）のサイクルにおける作動媒体の過熱度（以下、必要に応じて「ＳＨ」で示す。）となる。なお、Ｔ４は作動媒体Ｄの温度を示す。
【００９１】
そして、本発明の熱サイクルシステムは、熱サイクルシステムの異常運転時に、作動媒体の循環経路内に希釈ガスを投入できる希釈ガス投入手段１７が設けられている。この希釈ガス投入手段１７は、熱サイクルシステム内が８５℃以上の高温またはゲージ圧で６．０ＭＰａ以上の高圧条件となった場合に、作動媒体の循環経路内にＨＦＯ−１１２３の濃度を低減させるように希釈ガスを添加できるものであればよい。このようにＨＦＯ−１１２３の濃度を低減させることで、装置内部が、高温または高圧となった場合であっても、ＨＦＯ−１１２３の自己分解反応の進行を効果的に抑えることができる。
【００９２】
なお、希釈ガスの投入は、図１では圧縮機１１に設けて示しているが、循環経路内であればどこで行ってもよい。また、上記の異常運転時の問題は、主にＨＦＯ−１１２３が気体のときの話であるため、蒸気となっている作動媒体中のＨＦＯ−１１２３の濃度を効果的に低減させる態様が好ましい。したがって、希釈ガスは、投入後に気体となるものであればよく、投入前の保管されている状態においては気体であっても液体であってもよい。
【００９３】
投入される希釈ガスとしては、熱サイクル用作動媒体や熱サイクル用組成物として含まれるその他の成分と反応しない不活性なガスであればよい。この希釈ガスとしては、例えば、窒素、二酸化炭素やアルゴン等の希ガス等が挙げられ、窒素および二酸化炭素の少なくとも一方を有する希釈ガスが好ましい。この希釈ガスは、上記したように、希釈ガスを単独で使用しても、混合して使用するものでもよい。
【００９４】
上記したように、ＨＦＯ−１１２３濃度を低減させる対象が気体であるため、希釈ガスの投入は、循環経路内の作動媒体が気体で存在する部分で行うことが好ましく、特に、高温または高圧になりやすい圧縮機１１における循環経路に投入することが好ましい。
【００９５】
以下、希釈ガス投入手段について、図３を参照しながら説明する。ここでは、希釈ガス投入手段を、スクロール式圧縮機に設けた例について説明する。図３に示したスクロール式圧縮機１１０は、密閉容器１１１内に、ステーター１１２とローター１１３とからなる駆動手段と、電源と接続して駆動手段に電源を供給する電源供給端子１１２ａと、駆動手段の回転により熱サイクル用作動媒体を圧縮するスクロール圧縮機構１１４と、圧縮器と接続され、該スクロール圧縮機構１１４内に熱サイクル用作動媒体を導く吸入管１１５と、凝縮器と接続され、密閉容器１１１内の圧縮された熱サイクル用作動媒体を凝縮器側へ送り出す吐出管１１６と、密閉容器１１１と接続され、異常運転時において希釈ガスを密閉容器１１１内に投入する希釈ガス投入手段１１７と、を有して構成されている。
【００９６】
このスクロール式圧縮機１１０は、基本的に公知の圧縮機と同様の構成を有するものであり、希釈ガス投入手段１１７を有している点が本発明における特徴的な部分である。したがって、以下、希釈ガス投入手段１１７について説明する。なお、ここではスクロール式圧縮機を例に説明したが、公知の圧縮機であれば特に限定されずに適用できる。例えば、ピストンクランク式圧縮機、ピストン斜板式圧縮機、回転ピストン式圧縮機、ロータリーベーン式圧縮機、シングルローター式圧縮機、ツインローター式圧縮機、遠心式圧縮機等が挙げられる。
【００９７】
図３に示しているように、希釈ガス投入手段１１７は、希釈ガスを保管する保管容器１１７ａと、保管容器１１７ａと密閉容器１１１とを接続する希釈ガス投入管１１７ｂと、希釈ガス投入管１１７ｂの流路に設けられ、異常時に作動する異常時開放弁１１７ｃと、を有している。
【００９８】
保管容器１１７ａは、希釈ガスを安定して保管でき、所定の圧力に耐性を有する耐圧容器とする。すなわち、保管容器内に高圧で希釈ガスを保管する場合のほか、保管時の保管容器内の圧力は低くても、希釈ガスを投入したとき、スクロール式圧縮機１１０内の圧力が高圧であった場合は、投入後の保管容器内の圧力も高まるためである。このとき、保管容器１１７ａはゲージ圧で１０ＭＰａ以上の圧力に耐性を有することが好ましく、１２ＭＰａ以上の圧力に耐性を有することがより好ましい。このような保管容器１１７ａを形成する材料としては、例えば、ステンレス鋼、スチール、アルミニウム、黄銅、ニッケル合金等が挙げられる。
【００９９】
さらに、希釈ガスを冷却して保管する場合には、保管容器内部を冷却可能な容器とする。例えば、希釈ガスとして二酸化炭素を使用する場合に、保管容器内に液体二酸化炭素として保管する場合が考えられる。このとき、保管は低温であるが、投入時には温度が急激に上昇するため、この温度の上昇により液体二酸化炭素は気化しながら圧縮蒸気の作動媒体と混合され、ＨＦＯ−１１２３を効果的に希釈できる。このように保管時に液体にしておくと、希釈ガス量を確保しながら、保管時の容器の容積を小さくできる。すなわち、保管状態では液体で容積が小さいながら、投入時には気化してその容積が極めて大きくなるため、ＨＦＯ−１１２３の濃度を低減する効果を十分に発揮できる。液体二酸化炭素を保管する場合は、具体的には、容器内温度を４０℃以下、容器内圧力を１０ＭＰａ（ゲージ圧）以上として冷却して保管しておくことができる。
【０１００】
希釈ガス投入管１１７ｂは、上記した保管容器１１７ａと密閉容器１１１を接続するものであり、異常運転時には、希釈ガスを密閉容器１１１内へ投入する（または、密閉容器１１１内の圧縮された圧縮蒸気の作動媒体を保管容器１１７ａ内へ導く）ことで、循環経路内の気体状態の作動媒体と希釈ガスとを混合させ、ＨＦＯ−１１２３濃度を低減させるものである。この希釈ガス投入管１１７ｂは、保管容器１１７ａと同様の材質で形成することが好ましい。
【０１０１】
異常時開放弁１１７ｃは、異常運転時に開放される弁である。この異常時開放弁１１７ｃが開放されることで、上記保管容器１１７ａと密閉容器１１１が通気的に接続され、希釈ガスが循環経路内に投入される。この異常時開放弁１１７ｃは、通常運転時には閉鎖されており、希釈ガスを保管容器１１７ａ内に保持させているが、循環経路内において温度が８５℃以上または圧力がゲージ圧で６．０ＭＰａ以上となるような異常運転時には開放され、希釈ガスを密閉容器１１１内に投入するものである。この異常時開放弁１１７ｃは、上記条件において開放できるものであれば特に限定されるものではなく、公知の異常時開放弁１１７ｃを使用できる。
【０１０２】
この異常時開放弁１１７ａとしては、例えば、循環経路内の圧力を検知するセンサーと組み合わせ、所定の圧力以上となったときに開放する圧力制御自動弁、循環経路内の温度を検知するセンサーと組み合わせ、所定の温度以上となったときに開放する温度制御自動弁、所定の温度以上となったときに弁素材が溶解して開放する溶栓、所定の圧力以上となったときに弁素材が破裂して開放する破裂板、等が挙げられる。これら以外にも、所定の温度または圧力となったときに、開放可能とする公知の弁であれば適用できる。
【０１０３】
この異常時開放弁１１７ａが開放されることで、希釈ガスと作動媒体とが混合されＨＦＯ−１１２３濃度が低下する。この混合は、通常、保管容器１１７ａと密閉容器１１１との内部の圧力が異なるため、その圧力差により自然に行われる。したがって、保管容器１１７ａより密閉容器１１１の圧力が高い場合でも、保管容器１１７ａより密閉容器１１１の圧力が低い場合でも、どちらでもよい。効率よく混合し、希釈するためには、これらの圧力差が０．５ＭＰａ以上あることが好ましい。
【０１０４】
なお、圧力異常により密閉容器内が高圧になる場合や、所定の圧力以上となったときに開放する破裂板を使用する場合、等を考慮すると、保管容器１１７ａ内は、密閉容器１１１の圧力に比べて低くなるように設定しておくことが好ましい。
【０１０５】
そして、このように希釈ガスを投入することで、上記した作動媒体中のＨＦＯ−１１２３濃度を低減させる。このとき、ＨＦＯ−１１２３濃度を、６０質量％以下とすることが好ましく、５０質量％以下とすることがより好ましく、４０質量％以下とすることが更に好ましい。異常運転状態の条件にもよるが、ＨＦＯ−１１２３濃度を６０質量％以下とすれば、概ねＨＦＯ−１１２３の自己分解反応を抑えることができ、５０質量％以下とすれば、ほぼ確実にＨＦＯ−１１２３の自己分解反応を抑えることができ、４０重量％以下とすれば、確実にＨＦＯ−１１２３の自己分解反応を抑えることができる。
【０１０６】
上記の作動媒体の説明中に記載したように、作動媒体中におけるＨＦＯ−１１２３の濃度は高い方が好ましく、異常運転時には低い方が好ましい。したがって、最も好ましい態様としては、使用する作動媒体中のＨＦＯ−１１２３濃度が７０質量％超で、異常運転時には４０質量％以下となるように動作させるものが挙げられる。ただし、求める冷凍能力等と異常運転時の自己分解反応抑制のバランスから、使用する作動媒体中のＨＦＯ−１１２３濃度が６０質量％超で、異常運転時には６０質量％以下、使用する作動媒体中のＨＦＯ−１１２３濃度が６０質量％超で、異常運転時には５０質量％以下、使用する作動媒体中のＨＦＯ−１１２３濃度が６０質量％超で、異常運転時には４０質量％以下、使用する作動媒体中のＨＦＯ−１１２３濃度が５０質量％超で、異常運転時には５０質量％以下、使用する作動媒体中のＨＦＯ−１１２３濃度が５０質量％超で、異常運転時には４０質量％以下、となるように条件は適宜設定できる。
【０１０７】
また、希釈ガスはこのような条件となるように、保管容器１１１に収容する量を決定すればよい。例えば、使用する作動媒体の量がＷ ｋｇ、その作動媒体中におけるＨＦＯ−１１２３濃度がＸ質量％である場合には、Ｗ×（Ｘ／１００÷０．５−１）ｋｇより大きな量の希釈ガスを使用することでＨＦＯ−１１２３濃度を５０質量％以下とできる。また、使用する作動媒体中のＨＦＯ−１１２３と同質量の希釈ガスを使用すれば、ＨＦＯ−１１２３を単独で作動媒体としていた場合でもＨＦＯ−１１２３濃度を確実に５０質量％以下とすることができる。
【０１０８】
さらに、希釈ガス投入手段１７を作動させる温度条件または圧力条件を設定するにあたっては、作動媒体中に含まれるＨＦＯ−１１２３量を考慮することにより設定することが好ましい。例えば、作動媒体中に含まれるＨＦＯ−１１２３が５０質量％超６０質量％以下である場合は、高温条件は１３０℃以上、高圧条件は８．０ＭＰａ以上とすることが好ましく、作動媒体中に含まれるＨＦＯ−１１２３が６０質量％超６５質量％以下である場合は、高温条件は１３０℃以上、高圧条件は６．０ＭＰａ以上とすることが好ましく、作動媒体中に含まれるＨＦＯ−１１２３が６５質量％超７０質量％以下である場合は、高温条件は８５℃以上、高圧条件は６．０ＭＰａ以上とすることが好ましい。
【０１０９】
熱サイクル用作動媒体としてＨＦＯ−１１２３とＨＦＣ−３２との混合媒体において、濃度と圧力条件および濃度と温度条件を変動させたときの自己分解性について調べたところ、以下の通りの結果を確認できた。
【０１１０】
【表１】
2015215123.tif 000003
【０１１１】
【表２】
2015215123.tif 000004
【０１１２】
【表３】
2015215123.tif 000005
【０１１３】
【表４】
2015215123.tif 000006
【０１１４】
上記表１、表２、表３および表４の結果は、次のように確認した。まず、常法に従い、ＨＦＯ−１１２３およびＨＦＣ−３２を、それぞれ表１、表２、表３および表４に示す割合で混合して熱サイクル用の作動媒体を得た。このとき、作動媒体全量におけるＨＦＯ−１１２３およびＨＦＣ−３２の合計量の割合は１００質量％である。
次に、得られた作動媒体に対して表１、表２に示す試験圧力、表３、表４に示す試験温度となるようにそれぞれ条件を設定して試験を行い、自己分解性を評価した。自己分解性の評価は、高圧ガス保安法における個別通達においてハロゲンを含むガスを混合したガスにおける燃焼範囲を測定する設備として推奨されているＡ法に準拠した設備を用いて行った。
【０１１５】
すなわち、圧力による影響を評価する際には、外部からのヒーター加熱によって反応器内部の温度を表１では８５℃、表２では１３０℃に制御した内容積６５０ｃｍ３の耐圧容器内に、各作動媒体を、表１または表２に示す圧力まで封入した。また、温度による影響を評価する際には、内容積６５０ｃｍ３の耐圧容器内に、各作動媒体を、表３ではゲージ圧で圧力６ＭＰａ、表４ではゲージ圧で圧力８ＭＰａとなるまで封入し、その後外部からのヒーター加熱によって反応器内部を表３または表４に示す温度まで加熱した。
各試験において所定の条件とした後、耐圧容器内部に設置された白金線（外径０．５ｍｍ、長さ２５ｍｍ）を１０Ｖ、５０Ａの電圧、電流で溶断した（ホットワイヤー法）。溶断後に発生する耐圧容器内の温度と圧力変化を測定した。また、試験後のガス組成を分析した。試験後に、耐圧容器内の圧力上昇並びに温度上昇が認められ、試験後のガス分析で仕込んだＨＦＯ−１１２３の１００モル％に対して２０モル％以上の自己分解反応生成物（ＣＦ４、ＨＦ、コーク）が検出された場合に自己分解反応ありと判断した。
【０１１６】
表１、表２、表３および表４より、使用する熱サイクル用作動媒体におけるＨＦＯ−１１２３の濃度に応じて自己分解性が変動することがわかり、これにより希釈ガスを投入する好ましい条件を設定できる。なお、この結果はＨＦＯ−１１２３とＨＦＣ−３２との混合媒体による一例であり、その他の作動媒体と混合する場合には、その混合媒体に応じた条件を設定すればよい。
【０１１７】
〈その他の装置構成〉
また、本実施形態の熱サイクルシステムは、上記構成に加えて、次のような構成を加えて、異常運転時のＨＦＯ−１１２３の自己分解反応の進行を抑えることもできる。
【０１１８】
（凝縮温度の低減）
上記のような異常運転時に、凝縮器における凝縮液体の温度をより低下させるように冷却することが好ましい。この冷却は、凝縮器（ラジエータ）自体を、例えば、水冷等により、より低温に冷却するような構成とすればよい。このようにすると、異常運転により圧縮機で高温高圧蒸気となった作動媒体が、凝縮器において凝縮される際、さらに、凝縮液体の温度を低下でき、循環経路中の作動媒体の温度をより低下させることができる。循環経路中の温度を低下させることで、温度、圧力を低下させることができ、熱サイクルシステムに用いるＨＦＯ−１１２３の自己分解反応を抑えることができる。
【０１１９】
（分解反応の連鎖抑制）
圧縮機内に圧縮された作動媒体が収容される空間、例えば、図３においては密閉容器１１１内において、鉛直方向に所定の間隔で仕切り板を設けて、ＨＦＯ−１１２３の分解反応の連鎖を抑制する構成が挙げられる。このとき、仕切り板は、密閉容器内をそれぞれ隔離するのではなく、圧縮された作動媒体を流通可能なようにする。このようにすることで、蒸発器側へ移送する圧縮された作動媒体を所定量確保できる。
【０１２０】
仕切り板としては、流通経路となる穴が開いていればよく、穴は１つでも複数個でもよい。複数個の穴を設けておく方が、圧縮された作動媒体を均一に流通させることができ好ましい。また、仕切り板は、複数枚を鉛直方向に平行に並ぶように設けることが好ましく、このとき仕切り板同士の間隔を５ｍｍ以下とすることが好ましく、４ｍｍ以下とすることがより好ましく、３ｍｍ以下とすることがさらに好ましい。このような微小な間隔で空間を仕切ることで、ＨＦＯ−１１２３が仮に分解反応を生じたとしても、分解反応の連鎖を止め、全体として分解反応を抑制することができる。これは、通常、分解反応の連鎖が鉛直方向において下から上に向かって進むためであり、途中で仕切り板により連鎖を遮断させる構成とすることで、ＨＦＯ−１１２３の自己分解反応を抑えるものである。
【０１２１】
このような仕切り板としては、金属板に機械的に直径１〜１０ｍｍ程度の穴を開けたパンチングメタル等が挙げられる。また、このような仕切り板の複数枚を平行に並べる際に、平面視したときにこの穴の位置が重ならないようにすることが好ましい。すなわち、穴の位置が重なっている場合には、分解反応の連鎖が仕切り板同士の間隔よりも長く続くおそれがあるが、重ならないようにすることで、分解反応の連鎖を確実に断ち切ることができる。
【０１２２】
（放電現象の抑制）
また、圧縮機には圧縮機構として回転部分を有し、異常運転時には、この回転部分の摩擦により火花等の放電現象が生じるおそれがある。ＨＦＯ−１１２３の分解反応はこのような着火源が存在することにより進行する。したがって、放電現象を生じさせないことがＨＦＯ−１１２３の自己分解反応を抑える１つの手段となる。このような放電現象を抑えるために、例えば、放電現象を生じるおそれのある箇所にそれぞれブレーカーを複数個設けて、放電現象を生じさせないようにすることが好ましい。
また、圧縮機の動力として利用する駆動モーターにおいて短絡等により大きな電流が流れ、発熱等を起こすことで導線やモーター巻線の絶縁被覆部が破壊され放電が起こることを抑えるために、駆動モーターの一次側にリアクトルを設置することで事故点でのエネルギーを抑え、放電防止または放電エネルギーを抑制することが好ましい。
【０１２３】
（異常高温の防止）
圧縮機の駆動手段、例えば、図３におけるステーター１１２およびローター１１３は、通常、電源供給端子１１２ａを介して電源と接続されて、その駆動エネルギーを得ている。この駆動手段と電源供給端子１１２ａを接続する銅等の導線は、通常、絶縁性材料で被覆されている。この導線を被覆する材料は、非常に耐熱性の高いポリイミド樹脂等で被覆されており、一般に、その耐熱温度は２５０℃以上である。
【０１２４】
ところで、上記した異常運転時において、８５℃以上のような高温となったときには、上記希釈ガスを投入してＨＦＯ−１１２３の自己分解反応を抑えるようにしているが、さらに異常な動作が継続した場合は、熱サイクルシステム内が２００℃以上となるような異常な高温状態となる場合も考えられる。そのような場合においても、ＨＦＯ−１１２３の自己分解反応を抑えることが好ましい。
【０１２５】
そこで、上記導線を被覆する絶縁性材料を、あえて耐熱性の低い材料で形成することで、異常な高温状態を回避する構成が考えられる。このような構成にすると、異常な高温状態になった場合に、所定の温度で絶縁性材料が溶解し、導線を露出させショートさせることができ、それにより圧縮機等の運転を停止させ、それ以上の高温状態にならないようにして、熱サイクルシステムのＨＦＯ−１１２３の自己分解反応を抑えることができる。
【０１２６】
その際に使用する絶縁性材料としては、従来よりも耐熱性の低い材料、例えば、２００℃前後の温度で溶解する絶縁性材料が挙げられ、例えば、ポリエチレンテレフタレート（耐熱温度：２００℃）、ポリ塩化ビニリデン（耐熱温度：１８０℃）、ポリアミド（耐熱温度：２１０℃）等が挙げられる。
【０１２７】
また、その他の異常高温を防止する手段として、上記した異常運転時に、設定温度で作動する弁等をさらに設けることで、圧縮機内に封入された作動媒体を圧縮機外に放出し、圧縮機外に作動媒体を放出した際の気化熱により圧縮機内の温度を低下させることも好ましい。設定温度で作動する弁としては、溶栓や温度で作動する電磁弁等が挙げられる。
【０１２８】
（異常圧力の防止）
また、上記した異常運転時に、圧縮機内に封入された作動媒体を圧縮機外に放出することで異常圧力を防止することが好ましい。作動媒体を圧縮機外に放出する方法としては、上記と同様に設定圧力で作動する弁等をさらに設ければよく、ここで弁としては、破裂板、安全弁、電磁式圧力コントロール弁等が挙げられる。
【０１２９】
(水分濃度)
なお、熱サイクルシステムの稼働に際しては、水分の混入や、酸素等の不凝縮性気体の混入による不具合の発生を避けるために、これらの混入を抑制する手段を設けることが好ましい。
【０１３０】
熱サイクルシステム内に水分が混入すると、特に低温で使用される際に問題が生じる場合がある。例えば、キャピラリーチューブ内での氷結、作動媒体や冷凍機油の加水分解、サイクル内で発生した酸成分による材料劣化、コンタミナンツの発生等の問題が発生する。特に、冷凍機油がポリグリコール油、ポリオールエステル油等である場合は、吸湿性が極めて高く、また、加水分解反応を生じやすく、冷凍機油としての特性が低下し、圧縮機の長期信頼性を損なう大きな原因となる。したがって、冷凍機油の加水分解を抑えるためには、熱サイクルシステム内の水分濃度を制御する必要がある。
【０１３１】
熱サイクルシステム内の水分濃度を制御する方法としては、乾燥剤（シリカゲル、活性アルミナ、ゼオライト、塩化リチウム等）等の水分除去手段を用いる方法が挙げられる。
【０１３２】
乾燥剤は、液状の作動媒体と接触させることが、脱水効率の点で好ましい。例えば、凝縮器１２の出口、または蒸発器１４の入口に乾燥剤を配置して、作動媒体と接触させることが好ましい。
【０１３３】
乾燥剤としては、乾燥剤と作動媒体との化学反応性、乾燥剤の吸湿能力の点から、ゼオライト系乾燥剤が好ましい。
【０１３４】
ゼオライト系乾燥剤としては、従来の鉱物系冷凍機油に比べて吸湿量の高い冷凍機油を用いる場合には、吸湿能力に優れる点から、下式（３）で表される化合物を主成分とするゼオライト系乾燥剤が好ましい。
Ｍ２／ｎＯ・Ａｌ２Ｏ３・ｘＳｉＯ２・ｙＨ２Ｏ    …（３）
ただし、Ｍは、Ｎａ、Ｋ等の１族の元素またはＣａ等の２族の元素であり、ｎは、Ｍの原子価であり、ｘ、ｙは、結晶構造にて定まる値である。Ｍを変化させることにより細孔径を調整できる。
【０１３５】
乾燥剤の選定においては、細孔径および破壊強度が重要である。
作動媒体の分子径よりも大きい細孔径を有する乾燥剤を用いた場合、作動媒体が乾燥剤中に吸着され、その結果、作動媒体と乾燥剤との化学反応が生じ、不凝縮性気体の生成、乾燥剤の強度の低下、吸着能力の低下等の好ましくない現象を生じることとなる。
【０１３６】
したがって、乾燥剤としては、細孔径の小さいゼオライト系乾燥剤を用いることが好ましい。特に、細孔径が３．５オングストローム以下である、ナトリウム・カリウムＡ型の合成ゼオライトが好ましい。作動媒体の分子径よりも小さい細孔径を有するナトリウム・カリウムＡ型合成ゼオライトを適用することによって、作動媒体を吸着することなく、熱サイクルシステム内の水分のみを選択的に吸着除去できる。言い換えると、作動媒体の乾燥剤への吸着が起こりにくいことから、熱分解が起こりにくくなり、その結果、熱サイクルシステムを構成する材料の劣化やコンタミナンツの発生を抑制できる。
【０１３７】
ゼオライト系乾燥剤の大きさは、小さすぎると熱サイクルシステムの弁や配管細部への詰まりの原因となり、大きすぎると乾燥能力が低下するため、約０．５〜５ｍｍが好ましい。形状としては、粒状または円筒状が好ましい。
【０１３８】
ゼオライト系乾燥剤は、粉末状のゼオライトを結合剤（ベントナイト等。）で固めることにより任意の形状とすることができる。ゼオライト系乾燥剤を主体とするかぎり、他の乾燥剤（シリカゲル、活性アルミナ等。）を併用してもよい。
作動媒体に対するゼオライト系乾燥剤の使用割合は、特に限定されない。
【０１３９】
熱サイクルシステム内の水分濃度は、熱サイクル用作動媒体に対する質量割合で、１００００ｐｐｍ未満が好ましく、１０００ｐｐｍ未満が更に好ましく、１００ｐｐｍ未満が特に好ましい。
【０１４０】
（不凝縮性気体濃度）
さらに、熱サイクルシステム内に不凝縮性気体が混入すると、凝縮器や蒸発器における熱伝達の不良、作動圧力の上昇という悪影響をおよぼすため、極力混入を抑制する必要がある。特に、不凝縮性気体の一つである酸素は、作動媒体や冷凍機油と反応し、分解を促進する。
【０１４１】
不凝縮性気体濃度は、熱サイクル作動媒体に対する質量割合で、１００００ｐｐｍ未満が好ましく、１０００ｐｐｍ未満が更に好ましく、１００ｐｐｍ未満が特に好ましい。
【０１４２】
（塩素濃度）
熱サイクルシステム内に塩素が存在すると、金属との反応による堆積物の生成、軸受け部の磨耗、熱サイクル用作動媒体や冷凍機油の分解等、好ましくない影響をおよぼす。
【０１４３】
熱サイクルシステム内の塩素濃度は、熱サイクル用作動媒体に対する質量割合で１００ｐｐｍ以下が好ましく、５０ｐｐｍ以下が特に好ましい。
【０１４４】
（金属濃度）
熱サイクルシステム内にパラジウム、ニッケル、鉄などの金属が存在すると、ＨＦＯ−１１２３の分解やオリゴマー化等、好ましくない影響をおよぼす。
【０１４５】
熱サイクルシステム内の金属濃度は、熱サイクル用作動媒体に対する質量割合で５ｐｐｍ以下が好ましく、１ｐｐｍ以下が特に好ましい。
【０１４６】
（酸分濃度）
熱サイクルシステム内に酸分が存在すると、ＨＦＯ−１１２３の酸化分解、自己分解反応が促進する等、好ましくない影響をおよぼす。
【０１４７】
熱サイクルシステム内の酸分濃度は、熱サイクル用作動媒体に対する質量割合で１ｐｐｍ以下が好ましく、０．２ｐｐｍ以下が特に好ましい。
【０１４８】
また、熱サイクル組成物から酸分を除去する目的で、ＮａＦなどの脱酸剤による酸分除去を行う手段を熱サイクルシステム内に設けることで、熱サイクル組成物から酸分を除去することが好ましい。
【０１４９】
（残渣濃度）
熱サイクルシステム内に金属粉、冷凍機油以外の他の油、高沸分などの残渣が存在すると、気化器部分の詰まりや回転部の抵抗増加等、好ましくない影響をおよぼす。
【０１５０】
熱サイクルシステム内の残渣濃度は、熱サイクル用作動媒体に対する質量割合で１０００ｐｐｍ以下が好ましく、１００ｐｐｍ以下が特に好ましい。
【０１５１】
残渣は、熱サイクルシステム用作動媒体をフィルター等でろ過することで除去することができる。また、熱サイクルシステム用作動媒体とする前に、熱サイクルシステム用作動媒体の各成分（ＨＦＯ−１１２３、ＨＦＯ−１２３４ｙｆ等）ごとにフィルターでろ過を行って残渣を除去し、その後に混合して熱サイクルシステム用作動媒体としてもよい。
【０１５２】
上記した熱サイクルシステムは、トリフルオロエチレンを含む熱サイクル用作動媒体を用いることで、地球温暖化への影響を抑えつつ、実用的なサイクル性能が得られると共に、異常運転時においてＨＦＯ−１１２３の自己分解反応を抑えることができる。
【産業上の利用可能性】
【０１５３】
本発明の熱サイクルシステムは、冷凍・冷蔵機器（内蔵型ショーケース、別置型ショーケース、業務用冷凍・冷蔵庫、自動販売機、製氷機等）、空調機器（ルームエアコン、店舗用パッケージエアコン、ビル用パッケージエアコン、設備用パッケージエアコン、ガスエンジンヒートポンプ、列車用空調装置、自動車用空調装置等）、発電システム（廃熱回収発電等）、熱輸送装置（ヒートパイプ等）、二次冷却機等として有用である。
【符号の説明】
【０１５４】
１０…冷凍サイクルシステム、１１…圧縮機、１２…凝縮器、１３…膨張弁、１４…蒸発器、１５，１６…ポンプ、１１０…スクロール式圧縮機、１１１…密閉容器、１１２…ステーター、１１３…ローター、１１４…スクロール圧縮機構、１１５…吸入管、１１６…吐出管、１１７…希釈ガス投入手段、１１７ａ…保管容器、１１７ｂ…希釈ガス投入管、１１７ｃ…異常時開放弁
【図１】
2015215123.tif 000007
【図２】
2015215123.tif 000008
【図３】
2015215123.tif 000009